(57)【要約】【課題】  少なくとも着ぐるみとぬいぐるみの双方として兼用することができ、経済的であり、かつ環境への負荷を低減することができる着用可能なぬいぐるみを提供する。【解決手段】  子供の頭部を被覆するフード部２１と、子供の胴体を被覆する胴体部２２とからなるぬいぐるみ本体２と、フード部２１と胴体部２２との間に設けられたネックホール２４に着脱可能な頭内部材３と、胴体部２２に設けられたアームホール２５に着脱可能な腕部材４と、胴体部２２に設けられたレッグホール２６に着脱可能な脚部材５とを有し、頭内部材３、腕部材４および脚部材５のそれぞれを取り付けるとぬいぐるみになり、それぞれを取り外すと着用可能となる。【選択図】  図２
0003235526.tif 000002
【実用新案登録請求の範囲】
【請求項１】
子供が着用可能なぬいぐるみであって、
前記子供の頭部を被覆するフード部と、前記子供の胴体を被覆する胴体部とからなるぬいぐるみ本体と、
前記フード部と前記胴体部との間に設けられたネックホールに着脱可能な頭内部材と、
前記胴体部に設けられた一対のアームホールに着脱可能な一対の腕部材と、
前記胴体部に設けられた一対のレッグホールに着脱可能な一対の脚部材と、
を有しており、
前記頭内部材、前記腕部材および前記脚部材のそれぞれを取り付けるとぬいぐるみになり、前記頭内部材、前記腕部材および前記脚部材のそれぞれを取り外すと前記ネックホール、前記アームホール、前記レッグホールに子供の首、腕、脚をそれぞれ通して着用可能となる、着用可能なぬいぐるみ。
【請求項２】
前記胴体部の内部に収容可能であって、前記ぬいぐるみに係る生物またはキャラクタに関連する物を模した関連クッションを有する、請求項１に記載の着用可能なぬいぐるみ。
【請求項３】
前記関連クッションは、前記胴体部の内部に収容された状態で、前記レッグホールに対応する位置に突出部を有しており、前記脚部材は、前記レッグホールから突出された前記突出部を収容可能に構成されている、請求項２に記載の着用可能なぬいぐるみ。
【請求項４】
前記アームホールの周縁部と、前記腕部材の基端部における周縁部には、周方向に沿って互いに対向する位置に、着脱可能な複数の着脱部材が設けられており、前記腕部材の前記周方向における取付角度が調整可能に構成されている、請求項１から請求項３のいずれかに記載の着用可能なぬいぐるみ。
【請求項５】
前記脚部材は、前記子供の足に着用可能に構成されている、請求項１から請求項４のいずれかに記載の着用可能なぬいぐるみ。
【考案の詳細な説明】
【技術分野】
【０００１】
本考案は、子供が着用可能なぬいぐるみに関するものである。
【背景技術】
【０００２】
従来、赤ちゃんを含む子供のベビー用品としては、ぬいぐるみ、着ぐるみ、知育玩具等のように様々な商品が存在する。例えば、特開２００９−１００９６８号公報には、毛を刈ることが可能なぬいぐるみが開示されている（特許文献１）。
【先行技術文献】
【特許文献】
【０００３】
【特許文献１】特開２００９−１００９６８号公報
【考案の概要】
【考案が解決しようとする課題】
【０００４】
しかしながら、ベビー用品のそれぞれは、単価が高いにも関わらず、実際に使用される期間は短いため、経済的ではないという課題がある。また、使わなくなったベビー用品は、リサイクルされずに捨てられることも多いため、環境的にもやさしくないという課題もある。
【０００５】
本考案は、このような課題を解決するためになされたものであって、少なくとも着ぐるみとぬいぐるみの双方として兼用することができ、経済的であり、かつ環境への負荷を低減することができる着用可能なぬいぐるみを提供することを目的としている。
【課題を解決するための手段】
【０００６】
本考案に係る着用可能なぬいぐるみは、少なくとも着ぐるみとぬいぐるみの双方として兼用することができ、経済的であり、かつ環境への負荷を低減するという課題を解決するために、子供が着用可能なぬいぐるみであって、前記子供の頭部を被覆するフード部と、前記子供の胴体を被覆する胴体部とからなるぬいぐるみ本体と、前記フード部と前記胴体部との間に設けられたネックホールに着脱可能な頭内部材と、前記胴体部に設けられた一対のアームホールに着脱可能な一対の腕部材と、前記胴体部に設けられた一対のレッグホールに着脱可能な一対の脚部材と、を有しており、前記頭内部材、前記腕部材および前記脚部材のそれぞれを取り付けるとぬいぐるみになり、前記頭内部材、前記腕部材および前記脚部材のそれぞれを取り外すと前記ネックホール、前記アームホール、前記レッグホールに子供の首、腕、脚をそれぞれ通して着用可能となる。
【０００７】
また、本考案の一態様として、子供の知的好奇心を向上させ、知育玩具としても利用するという課題を解決するために、前記胴体部の内部に収容可能であって、前記ぬいぐるみに係る生物またはキャラクタに関連する物を模した関連クッションを有していてもよい。
【０００８】
さらに、本考案の一態様として、ぬいぐるみの脚部を補強し、安定性を向上するという課題を解決するために、前記関連クッションは、前記胴体部の内部に収容された状態で、前記レッグホールに対応する位置に突出部を有しており、前記脚部材は、前記レッグホールから突出された前記突出部を収容可能に構成されていてもよい。
【０００９】
また、本考案の一態様として、腕部材を好みの取付角度に調整するとともに、着脱作業によって子供の巧緻性を向上するという課題を解決するために、前記アームホールの周縁部と、前記腕部材の基端部における周縁部には、周方向に沿って互いに対向する位置に、着脱可能な複数の着脱部材が設けられており、前記腕部材の前記周方向における取付角度が調整可能に構成されていてもよい。
【００１０】
さらに、本考案の一態様として、着ぐるみとしての仮装性を向上するという課題を解決するために、前記脚部材は、前記子供の足に着用可能に構成されていてもよい。
【考案の効果】
【００１１】
本考案によれば、少なくとも着ぐるみとぬいぐるみの双方として兼用することができ、経済的であり、かつ環境への負荷を低減することができる。
【図面の簡単な説明】
【００１２】
【図１】本考案に係る着用可能なぬいぐるみの一実施形態を示す全体図である。
【図２】本実施形態において、ぬいぐるみ本体から頭内部材、腕部材および脚部材のそれぞれを取り外した状態を示す図である。
【図３】本実施形態において、胴体部から関連クッションを取り出した状態および腕部材の着脱機構を示す図である。
【図４】本実施形態の着用可能なぬいぐるみを子供に着用させた状態を示す図である。
【考案を実施するための形態】
【００１３】
以下、本考案に係る着用可能なぬいぐるみの一実施形態について図面を用いて説明する。
【００１４】
本実施形態の着用可能なぬいぐるみ１は、子供が着用可能なぬいぐるみ１であって、図１および図２に示すように、ぬいぐるみ本体２と、頭内部材３と、一対の腕部材４，４と、一対の脚部材５，５と、関連クッション６とを有している。以下、各構成について説明する。なお、本考案において、子供とは、乳幼児から小学生程度の子供を想定している。
【００１５】
ぬいぐるみ本体２は、着用可能なぬいぐるみ１の本体となる部分である。本実施形態において、ぬいぐるみ本体２は、図４に示すように、子供の頭部を被覆するフード部２１と、子供の胴体を被覆する胴体部２２とを有している。なお、本実施形態では、着用可能なぬいぐるみ１が恐竜を模しているため、恐竜の上顎と頭部によってフード部２１が構成され、恐竜の胴体と尻尾によって胴体部２２が構成されている。
【００１６】
フード部２１の外側には恐竜の顔がデザインされており、ぬいぐるみや着ぐるみとしての可愛らしさが強調されている。一方、フード部２１の内側には、子供の頭部または頭内部材３を収容可能な収容凹部２３が形成されている。
【００１７】
胴体部２２の内部は空洞になっており、子供の胴体を収容可能に構成されている。また、胴体部２２は、図２に示すように、フード部２１との間における上端部に、子供の首を通すためのネックホール２４が設けられている。また、胴体部２２の左右両側面には、子供の両腕を通すための一対のアームホール２５，２５が設けられている。さらに、胴体部２２の下端部には、子供の両脚を通すための一対のレッグホール２６，２６が設けられている。
【００１８】
なお、本実施形態において、胴体部２２は、各アームホール２５の上方部分がボタンによって開け閉めしうるようになっており、子供が着やすく脱ぎやすい構成とされている。ただし、胴体部２２の開け閉めはボタンに限らず、面ファスナー等で行ってもよい。
【００１９】
頭内部材３は、ぬいぐるみの頭部を構成するものである。本実施形態において、頭内部材３は、図２に示すように、フード部２１の収容凹部２３に収容される上頭部３１と、胴体部２２のネックホール２４を被覆する下顎部３２とを有している。そして、収容凹部２３の周縁部と上頭部３１の周縁部には、互いに対向する位置に線ファスナー７１が設けられているとともに、ネックホール２４の周縁部と下顎部３２の周縁部には、互いに対向する位置に線ファスナー７１が設けられている。
【００２０】
これらの線ファスナー７１によって、頭内部材３がぬいぐるみ本体２に対して着脱可能に構成される。なお、頭内部材３を着脱させる手段は、線ファスナー７１に限定されるものではなく、面ファスナー、ボタン、連結ヒモ等のように、互いに着脱可能な着脱部材であればよい。
【００２１】
一対の腕部材４，４は、ぬいぐるみの両腕を構成するものである。本実施形態では、図３に示すように、各アームホール２５の周縁部には周方向に沿ってボタンホール８２が設けられ、各腕部材４の基端部における周縁部には周方向に沿って複数のボタン８１が設けられており、両者が互いに対向する位置に配置されている。このため、ボタン８１を留めるボタンホール８２を任意に選択することで、腕部材４の周方向における取付角度が調整可能に構成されている。
【００２２】
なお、ボタン８１とボタンホール８２の配置は、上記構成に限定されるものではなく、アームホール２５の周縁部にボタン８１を設け、腕部材４の基端部における周縁部にボタンホール８２を設けてもよい。また、腕部材４を着脱させる手段は、ボタン８１とボタンホール８２に限定されるものではなく、面ファスナー、線ファスナー、連結ヒモ等のように、互いに着脱可能な着脱部材であればよい。
【００２３】
一対の脚部材５，５は、ぬいぐるみの両脚を構成するものである。本実施形態では、腕部材４と同様、各レッグホール２６の周縁部と、各脚部材５の基端部における周縁部には、周方向に沿って互いに対向する位置に、複数のボタン８１とボタンホール８２とが設けられ、着脱可能に構成されている。また、本実施形態において、各脚部材５は、子供の足を収容しうる程度の空洞を有しており、子供が足に着用できるように構成されている。なお、脚部材５の着脱も、腕部材４と同様、ボタン８１に限定されるものではなく、互いに着脱可能な着脱部材であればよい。
【００２４】
関連クッション６は、ぬいぐるみとして使用する際に胴体部２２の内部に収容するものである。本考案において、関連クッション６は、ぬいぐるみに係る生物またはキャラクタに対して、直接的または間接的に関連性を有する物を模した形態を有している。具体的には、ぬいぐるみに係る生物が好きな食べ物（熊であれば鮭等）であったり、ぬいぐるみに係る生物の幼少期の形態（にわとりに対してひよこ、カエルに対しておたまじゃくし等）等である。
【００２５】
本実施形態では、図３に示すように、関連クッション６の形態として、恐竜と共存していた原始人が食していたと思われる骨付き肉が模されている。このため、関連クッション６は、子供の知的好奇心を向上させ、知育玩具としての役割を果たすようになっている。なお、関連クッション６の形態は、上述した骨付き肉に限定されるものではなく、ぬいぐるみに係る生物またはキャラクタに関連する物であればよい。
【００２６】
また、本実施形態において、関連クッション６は、図２および図３に示すように、胴体部２２の内部に収容された状態で、各レッグホール２６に対応する位置に突出部６１（骨）を有している。そして、レッグホール２６から突出された突出部６１が、脚部材５に収容可能に構成されている。このため、脚部材５に突出部６１を収容させた状態で脚部材５をぬいぐるみ本体２に取り付けると、両脚の支持力が補強され、ぬいぐるみとしての安定性が向上する。
【００２７】
つぎに、本実施形態の着用可能なぬいぐるみ１の作用について説明する。
【００２８】
本実施形態の着用可能なぬいぐるみ１は、頭内部材３、一対の腕部材４，４および一対の脚部材５，５のそれぞれを取り付けると、図１に示すように、通常のぬいぐるみと同様の外観となる。また、胴体部２２の内部には関連クッション６が収容されているため、子供が抱きついたりしても、通常のぬいぐるみと同様の感触が得られる。さらに、関連クッション６の突出部６１が、脚部材５に収容されることで脚部の支持力を補強し、ぬいぐるみの安定性を向上させる。
【００２９】
また、本実施形態では、各腕部材４が、ボタン８１を留めるボタンホール８２の位置を変えるだけで、子供の好みに応じた取付角度に調整される。このため、ぬいぐるみのポーズに様々なバリエーションが生まれ、子供を飽きさせない。また、子供の成長に合わせて腕部材４や脚部材５の着脱作業を練習させることにより、子供の自主性が育てられるとともに、巧緻性が向上し手先が器用になる。そして、一人で着脱できるようになれば、自分に自信が持てるようになり積極性が向上する。
【００３０】
一方、本実施形態の着用可能なぬいぐるみ１は、頭内部材３、一対の腕部材４，４および一対の脚部材５，５のそれぞれを取り外すと、図４に示すように、ネックホール２４、アームホール２５、レッグホール２６に子供の首、腕、脚をそれぞれ通して着用可能な着ぐるみにもなる。このとき、本実施形態では、胴体部２２の内部から取り出した関連クッション６が、ぬいぐるみに係る生物やキャラクタとの関連性が高い物に模されている。このため、当該生物やキャラクタに関する特徴・構造が知識として自然と身に付き、子供の知的好奇心や創造性を向上させるため、知育玩具としての役割を果たす。
【００３１】
また、本実施形態では、取り外した脚部材５のそれぞれが、子供の両足に履かせられるため、着ぐるみとしての仮装性が向上する。このため、自宅にいながらでも、フォトスタジオで撮影したかのような本格的な仮想写真が撮影可能となる。
【００３２】
以上のような本実施形態の着用可能なぬいぐるみ１によれば、以下のような効果を奏する。
１．少なくとも着ぐるみとぬいぐるみの双方として兼用することができ、経済的であり、かつ環境への負荷を低減することができる。
２．子供の知的好奇心を向上させ、知育玩具としても利用することができる。
３．ぬいぐるみの脚部を補強し、安定性を向上することができる。
４．腕部材４を好みの取付角度に調整でき、着脱作業によって子供の巧緻性を向上することができる。
５．着ぐるみとしての仮装性を向上でき、本格的な仮想写真を自宅で撮影することができる。
６．一つの商品で、ぬいぐるみ、着ぐるみ、知育玩具、フォトグッズ等の様々な用途で利用することができる。
７．出産祝いや誕生日祝いのプレゼントとして、今までにない斬新な商品カテゴリを提供することができる。
【００３３】
なお、本考案に係る着用可能なぬいぐるみ１は、上述した本実施形態に限定されるものではなく、適宜変更することができる。例えば、上述した本実施形態では、頭部、両腕および両脚を有する恐竜を模していたが、この構成に限定されるものではなく、頭部、両腕または両脚のない非生物のキャラクターを模してもよい。例えば、五芒星形状（いわゆる星形状）のキャラクタであれば、上方にある一つの角部を頭内部材３とし、左右の角部を腕部材４とし、下方にある二つの角部を脚部材５とすればよい。
【符号の説明】
【００３４】
１  着用可能なぬいぐるみ
２  ぬいぐるみ本体
３  頭内部材
４  腕部材
５  脚部材
６  関連クッション
２１  フード部
２２  胴体部
２３  収容凹部
２４  ネックホール
２５  アームホール
２６  レッグホール
３１  上頭部
３２  下顎部
６１  突出部
７１  線ファスナー
８１  ボタン
８２  ボタンホール
【図１】
0003235526.tif 000003
【図２】
0003235526.tif 000004
【図３】
0003235526.tif 000005
【図４】
0003235526.tif 000006